【手続補正書】
【提出日】平成17年9月2日(2005.9.2)
【手続補正１】
【補正対象書類名】明細書
【補正対象項目名】特許請求の範囲
【補正方法】変更
【補正の内容】
【特許請求の範囲】
【請求項１】  プリントすべき被プリント媒体のサイズより小さくないサイズのプリントデータに基づいて着色材を付与することによって前記被プリント媒体の少なくとも１つの端部に余白を設けずにプリントを行う余白無しプリントを行うために使用されるプリント条件を設定するためのプリント条件設定方法であって、
前記プリントすべき被プリント媒体について、当該プリントすべき被プリント媒体から外側にはみ出す前記プリントデータのはみ出し量を複数の異なるはみ出し量の中から指定することを特徴とするプリント条件設定方法。
【請求項２】  前記指定されたはみ出し量に基づいて、前記プリントデータのサイズが決定されることを特徴とする請求項１に記載のプリント条件設定方法。
【請求項３】  前記はみ出し量の指定工程の前に、前記余白無しプリントを行うための余白無しプリントモードを設定することを特徴とする請求項１または２に記載のプリント条件設定方法。
【請求項４】  予め定められた複数段階のはみ出し量の中から１つのはみ出し量を指定することによって、前記はみ出し量の指定は行われることを特徴とする請求項１から３のいずれかに記載のプリント条件設定方法。
【請求項５】  前記指定されたはみだし量と前記プリントすべきプリント媒体のサイズに基づいて、プリントすべき画像を示す画像データの拡大率を決定する工程と、
前記決定された拡大率に基づいて、前記プリントデータを生成する工程と、
を更に有することを特徴とする請求項１から４のいずれかに記載のプリント条件設定方法。
【請求項６】  前記決定された拡大率に基づいて、前記画像データの解像度を決定する工程を更に有し、
前記プリントデータの生成は、前記決定された解像度に基づいて実行されることを特徴とする請求項５に記載のプリント条件設定方法。
【請求項７】  前記はみ出し量の指定は、グラフィックスを用いたユーザインターフェースによって実行されることを特徴とする請求項１から６のいずれかに記載のプリント条件設定方法。
【請求項８】  前記指定されたはみ出し量に基づいて、前記プリントデータは生成されることを特徴とする請求項１から７のいずれかに記載のプリント条件設定方法。
【請求項９】  スプロールされた後の前記プリントデータは、画像のプリントを行うプリンタに出力されることを特徴とする請求項８に記載のプリント条件設定方法。
【請求項１０】  前記指定工程において指定可能な複数のはみ出し量のうち最小のはみ出し量は０であることを特徴とする請求項１から９のいずれかに記載のプリント条件設定方法。
【請求項１１】  前記設定工程において余白無しプリントモードが設定された場合には、前記はみ出し量の指定が実行可能であり、
前記設定工程において余自無しプリントモードが設定されない場合には、前記はみ出し量の指定が実行不可能であることを特徴とする請求項３に記載のプリント条件設定方法。
【請求項１２】  前記異なるはみ出し量を示す複数の表示項目のうち、ユーザにより指定された１つの表示項目に応じて、前記はみ出し量の指定が行われることを特徴とする請求項１乃至１１のいずれかに記載のプリント条件設定方法。
【請求項１３】  前記はみ出し量の指定工程において、前記ユーザにより指定された１つの表示項目に応じて、前記プリント媒体の異なる端部についてのはみ出し量が指定されることを特徴とする請求項１２に記載のプリント条件設定方法。
【請求項１４】  プリントすべき被プリント媒体のサイズより小さくないサイズのプリントデータに基づいて着色剤を付与することによって前記被プリント媒体の少なくとも１つの端部に余白を設けずにプリントを行う余白無しプリントを行うために使用されるプリント条件を変更するためのプリント条件変更方法であって、
前記プリントすべき被プリント媒体について、当該プリントすべき被プリント媒体から外側にはみ出す前記プリントデータのはみ出し量を変更する工程を有することを特徴とするプリント条件変更方法。
【請求項１５】  前記変更されたはみ出し量に基づいて、前記プリントすべき画像を示す画像データの拡大率を変更する工程と、
前記変更された拡大率に基づいて、前記プリントデータを生成する工程と、
を有することを特徴とする請求項１４に記載のプリント条件変更方法。
【請求項１６】  請求項１から１５のいずれに記載の方法をコンピュータに実行させることを特徴とするプログラム。
【請求項１７】  プリントすべき被プリント媒体のサイズより小さくないサイズのプリントデータに基づいて着色剤を付与することによって前記被プリント媒体の少なくとも１つの端部に余白を設けずにプリントを行う余白無しプリントを行うプリント方法であって、
前記プリントすべき被プリント媒体について、当該プリントすべき被プリント媒体から外側にはみ出す前記プリントデータのはみ出し量を複数の異なるはみ出し量の中から指定する工程と、
前記指定されたはみ出し量に基づいて前記余白無しプリントを行う工程と、
を有することを特徴とするプリント方法。
【請求項１８】  プリントすべき被プリント媒体のサイズより小さくないサイズのプリントデータに基づいて着色剤を付与することによって前記被プリント媒体の少なくとも１つの端部に余白を設けずにプリントを行う余白無しプリントを行うプリント方法であって、
前記プリントすべき被プリント媒体について、当該プリントすべき被プリント媒体から外側にはみ出す前記プリントデータのはみ出し量を変更する工程と、
前記変更されたはみ出し量に基づいて前記余白無しプリントを行う工程と、
を有することを特徴とするプリント方法。
【請求項１９】  請求項１７または１８に記載のプリント方法を実行可能であることを特徴とするプリンタ。
【請求項２０】  プリントすべき被プリント媒体のサイズより小さくないサイズのプリントデータに基づいて着色剤を付与することによって前記被プリント媒体の少なくとも１つの端部に余白を設けずにプリントを行う余白無しプリントを行うことが可能なプリンタを制御する制御装置であって、
請求項１乃至１３のいずれかに記載の方法によるプリント条件の設定を実行可能なコントローラを有することを特徴とする制御装置。
【請求項２１】  被プリント媒体上の領域および前記被プリント媒体からはみ出した領域に対し着色材を付与して画像をプリントするプリント方法であって、
前記着色材の付与領域の、前記被プリント媒体からのはみ出し量を指定する工程と、
前記指定されたはみ出し量に基づいて前記画像のプリントを行う工程とを有し、
前記指定工程は、予め定められた複数段階の異なるはみ出し量の中から１つのはみ出し量を指定することを特徴とするプリント方法。
【請求項２２】  被プリント媒体上の第１領域と前記被プリント媒体からはみ出した第２領域とを含む領域に対し着色材を付与して画像をプリントするプリント方法であって、
前記第２領域の大きさを変更してから、前記画像のプリントを行うことを特徴とするプリント方法。
【請求項２３】  被プリント媒体の端部より内側の領域および前記被プリント媒体の端部より外側にはみ出した領域に対して着色材を付与し、前記被プリント媒体の少なくとも１つの端部に余白を設けずにプリントを行う余白なしプリント動作を実行するためのプリント方法であって、
前記着色材の付与領域の、前記被プリント媒体からのはみ出し量を指定する工程と、
前記指定工程において指定されたはみ出し量に基づいて、プリントデータを生成する工程と、
前記生成工程において生成されたプリントデータに基づいて、前記余白なしプリント動作を行う工程とを有し、
前記指定工程では、予め定められた複数段階の異なるはみ出し量の中から１つのはみ出し量を指定することを特徴とするプリント方法。
【請求項２４】  請求項２１乃至２３のいずれに記載のプリント方法を実行可能なプリンタ。
【請求項２５】  プリントシステムであって、
被プリント媒体の端部より内側の領域および前記被プリント媒体の端部より外側にはみ出した領域に対して着色材を付与し、前記被プリント媒体の少なくとも１つの端部に余白を設けずにプリントを行う余白なしプリント動作を実行可能なプリンタと、
前記プリンタに供給するためのプリントデータを生成する制御装置とを含み、
前記制御装置は、前記着色材の付与領域の、前記被プリント媒体からのはみ出し量を指定する手段と、前記指定されたはみ出し量に基づいて前記プリントデータを生成する手段と、前記生成されたプリントデータを前記プリンタへ供給する手段と、を備えることを特徴とするプリントシステム。
【手続補正２】
【補正対象書類名】明細書
【補正対象項目名】０００７
【補正方法】変更
【補正の内容】
【０００７】
【課題を解決するための手段】
本発明のプリント条件設定方法は、プリントすべき被プリント媒体のサイズより小さくないサイズのプリントデータに基づいて着色材を付与することによって前記被プリント媒体の少なくとも１つの端部に余白を設けずにプリントを行う余白無しプリントを行うために使用されるプリント条件を設定するためのプリント条件設定方法であって、前記プリントすべき被プリント媒体について、当該プリントすべき被プリント媒体から外側にはみ出す前記プリントデータのはみ出し量を複数の異なるはみ出し量の中から指定することを特徴とする。
【手続補正３】
【補正対象書類名】明細書
【補正対象項目名】０００８
【補正方法】変更
【補正の内容】
【０００８】
本発明のプリント条件変更方法は、プリントすべき被プリント媒体のサイズより小さくないサイズのプリントデータに基づいて着色剤を付与することによって前記被プリント媒体の少なくとも１つの端部に余白を設けずにプリントを行う余白無しプリントを行うために使用されるプリント条件を変更するためのプリント条件変更方法であって、前記プリントすべき被プリント媒体について、当該プリントすべき被プリント媒体から外側にはみ出す前記プリントデータのはみ出し量を変更する工程を有することを特徴とする。
【手続補正４】
【補正対象書類名】明細書
【補正対象項目名】０００９
【補正方法】変更
【補正の内容】
【０００９】
本発明のプログラムは、上記の方法をコンピュータに実行させることを特徴とする。
【手続補正５】
【補正対象書類名】明細書
【補正対象項目名】００１０
【補正方法】変更
【補正の内容】
【００１０】
本発明のプリント方法は、プリントすべき被プリント媒体のサイズより小さくないサイズのプリントデータに基づいて着色剤を付与することによって前記被プリント媒体の少なくとも１つの端部に余白を設けずにプリントを行う余白無しプリントを行うプリント方法であって、前記プリントすべき被プリント媒体について、当該プリントすべき被プリント媒体から外側にはみ出す前記プリントデータのはみ出し量を複数の異なるはみ出し量の中から指定する工程と、前記指定されたはみ出し量に基づいて前記余白無しプリントを行う工程と、を有することを特徴とする。
【手続補正６】
【補正対象書類名】明細書
【補正対象項目名】００１１
【補正方法】変更
【補正の内容】
【００１１】
本発明のプリント方法は、プリントすべき被プリント媒体のサイズより小さくないサイズのプリントデータに基づいて着色剤を付与することによって前記被プリント媒体の少なくとも１つの端部に余白を設けずにプリントを行う余白無しプリントを行うプリント方法であって、前記プリントすべき被プリント媒体について、当該プリントすべき被プリント媒体から外側にはみ出す前記プリントデータのはみ出し量を変更する工程と、前記変更されたはみ出し量に基づいて前記余白無しプリントを行う工程と、を有することを特徴とする。
【手続補正７】
【補正対象書類名】明細書
【補正対象項目名】００１２
【補正方法】変更
【補正の内容】
【００１２】
本発明の制御装置は、プリントすべき被プリント媒体のサイズより小さくないサイズのプリントデータに基づいて着色剤を付与することによって前記被プリント媒体の少なくとも１つの端部に余白を設けずにプリントを行う余白無しプリントを行うことが可能なプリンタを制御する制御装置であって、上記のプリント条件設定方法によるプリント条件の設定を実行可能なコントローラを有する。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
本発明のプリント方法は、被プリント媒体上の第１領域および前記被プリント媒体からはみ出した第２領域に対し着色材を付与して画像をプリントするプリント方法であって、前記着色材の第２付与領域の、前記被プリント媒体からのはみ出し量を指定する工程と、前記指定されたはみ出し量に基づいて調整してから、前記画像のプリントを行う工程とを有し、前記指定工程は、予め定められた複数段階の異なるはみ出し量の中から１つのはみ出し量を指定することを特徴とする。
【手続補正１５】
【補正対象書類名】明細書
【補正対象項目名】００２１
【補正方法】変更
【補正の内容】
【００２１】
本発明のプリント方法は、被プリント媒体の端部より内側の領域および前記被プリント媒体の端部より外側にはみ出した領域に対して着色材を付与し、前記被プリント媒体の少なくとも１つの端部に余白を設けずにプリントを行う余白なしプリント動作を実行するためのプリント方法であって、前記着色材の付与領域の、前記被プリント媒体からのはみ出し量を指定する工程と、前記指定工程において指定されたはみ出し量に基づいて、プリントデータを生成する工程と、前記生成工程において生成されたプリントデータに基づいて、前記余白なしプリント動作を行う工程とを有し、前記指定工程では、予め定められた複数段階の異なるはみ出し量の中から１つのはみ出し量を指定することを特徴とする。
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２５
【補正方法】変更
【補正の内容】
【００２５】
本発明のプリントシステムは、被プリント媒体の端部より内側の領域および前記被プリント媒体の端部より外側にはみ出した領域に対して着色材を付与し、前記被プリント媒体の少なくとも１つの端部に余白を設けずにプリントを行う余白なしプリント動作を実行可能なプリンタと、前記プリンタに供給するためのプリントデータを生成する制御装置とを含み、前記制御装置は、前記着色材の付与領域の、前記被プリント媒体からのはみ出し量を指定する手段と、前記指定されたはみ出し量に基づいて前記プリントデータを生成する手段と、前記生成されたプリントデータを前記プリンタへ供給する手段と、を備えることを特徴とする。